(57)【要約】【課題】照明装置を組込んだ空気調和システムにおいて、人体への目覚め感やリフレッシュ感の向上の点で課題があった。【解決手段】空気調和装置１と、空気調和装置の略前面に配設され人体に覚醒作用を施す照明装置２と、空気調和装置１と照明装置２を制御する制御手段とからなり、空気調和装置１の快適な空間に加え、光の覚醒作用を有する照明装置２との相乗効果で、朝の目覚め感の向上と、昼間の居眠り防止を行う。【選択図】図１
2008151466.tif 000002
【特許請求の範囲】
【請求項１】
空気調和装置と、前記空気調和装置の略前面に配設され人体に覚醒作用を施す照明装置と、前記空気調和装置と前記照明装置を制御する制御手段とからなる空気調和システム。
【請求項２】
前記照明装置は、白色光のＬＥＤ照明とした請求項１記載の空気調和システム。
【請求項３】
前記制御手段は時計機能を有し、前記照明装置の照射時間をタイマ設定できる設定手段を有する請求項１または２記載の空気調和システム。
【請求項４】
前記空気調和装置は人体検知手段を有し、前記人体検知手段の信号で前記照明装置を起動する請求項１または２記載の空気調和システム。
【請求項５】
請求項１〜４のいずれか記載の空気調和システムにおいて、前記制御手段をコンピュータに実行させるためのプログラム。
【発明の詳細な説明】
【技術分野】
【０００１】
本発明は、空気調和装置に関し、照明装置と組み合わせて快適感の向上をはかる空気調和システムとそのプログラムに関するものである。
【背景技術】
【０００２】
近年、空気調和システムには、さまざまな機能が追加され、快適な空間を作るために人体検出による温度制御や、空気流の流れをコントロールしたり、照明をいれて、生活シーンに合わせて照明コントロールをするものもある（例えば、特許文献１参照）。
【特許文献１】特開平３−２１３９２２号公報
【発明の開示】
【発明が解決しようとする課題】
【０００３】
しかしながら、従来の照明装置を組込んだ空気調和システムは生活シーンに合わせて照明をオンオフしたり、パーテイなどの演出に利用するものであり、人体へのリフレッシュ感の向上を目的としたものではなかった。
【課題を解決するための手段】
【０００４】
そこで、前記従来の課題を解決するために、本発明は、空気調和装置と、空気調和装置の略前面に配設され人体に覚醒作用を施す照明装置と、空気調和装置、照明装置を制御する制御手段とからなるようにした。
【発明の効果】
【０００５】
これにより、空気調和装置の快適な空間に加え、光の覚醒作用を有する照明装置との相乗効果で、朝の目覚め感の向上と、昼間の居眠り防止の向上の効果がある。
【発明を実施するための最良の形態】
【０００６】
第１の発明は、空気調和装置と、前記空気調和装置の略前面に配設され人体に覚醒作用を施す照明装置と、前記空気調和装置と前記照明装置を制御する制御手段を有するようにした。
【０００７】
これにより、空気調和装置の本体の略前面に配設された覚醒作用を施す照明装置は、制御手段により人体へ照射点灯することにより、空気調和装置との相乗効果で目覚め感が一層向上することが可能となる。
【０００８】
第２の発明は、特に第１の発明の空気調和システムにおいて、白色光のＬＥＤ照明とした有ようにした。
【０００９】
これにより、ＬＥＤ照明により空気調和装置の前面部のスペースを薄型にし、人体への白色光の周波数帯は、朝日を浴びるのと同等の作用を施し、使用者に目覚め感と、昼間の食事後の居眠り防止効果が可能となる。
【００１０】
第３の発明は、特に第１または第２の発明の空気調和システムにおいて、制御手段は時計機能を有し、照射時刻、照射時間をタイマ設定できる設定手段を有するようにした。
【００１１】
これにより、特に朝、昼の時間帯に空気調和装置及び照明装置を動作させるように設定しておけば、使用者は、毎日、快適な目覚め感を享受することができる。
【００１２】
第４の発明は、特に第１または第２の発明の空気調和システムにおいて、空気調和装置は人体検知手段を有し、前記人体検知手段の信号で前記照明装置を起動するようにした。
【００１３】
これにより、特に朝、昼の時間帯に空気調和装置及び照明装置を動作させるときに、使用者が空気調和装置の前面に来た時に自動的に照明装置が作動し、毎日、快適な目覚め感を享受することができる。
【００１４】
第５の発明は、特に第１〜４のいずれかの発明の空気調和システムにおいて、制御手段をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。
【００１５】
以下、本発明の実施の形態について、図面を用いて一実施形態について詳細に説明する。なお、この実施の形態によって本発明が限定されるものではない。
【００１６】
（実施の形態１）
図１は、本発明の第１の実施の形態における空気調和システム構成の一例を示す図である。図１において、１は空気調和装置の本体で、２は空気調和装置の略前面に配設され人体に覚醒作用を施す照明装置、３は空気調和装置と照明装置とを制御する制御手段である。
【００１７】
空気調和装置１には、図示していないが熱交換器、室外の熱圧縮装置と冷媒をやり取りするパイプ、信号線、空気調和装置１へワイヤレスで操作するためのリモコンが配置され、これらを含めて空気調和システム４が構成される。
【００１８】
空気調和システム４は、使用者がリモコンで操作すると、制御手段３がその信号をうけて、空気調和装置１を作動し、設定温度の温風、冷風を室内に送風するととも装置本体の略前面の覚醒作用を施した照明装置２が使用者へ所定時間点灯照射する。
【００１９】
一般に、光は自律神経に影響を与え、交感神経の働きを活発にし血圧や体温を上昇させて、体を覚醒させる働きがある。また、夜になると、メラトニンというホルモンが分泌され、覚醒のブレーキ役をし、睡眠を促す。
【００２０】
そこで、朝明るい光が目に入るとメラトニンが抑制され目覚めを助ける。光の照射量と照射時間により使用者の２４時間の生体リズム周期の中でメリハリをつける。
【００２１】
一般に太陽光は２０００ルクス以上であり、制御手段３は照明装置２に対して、この照射量で３０分くらいを目安に空気昭和装置１とともに制御する。したがって、使用者は、空気調和装置１と覚醒作用の照明装置２の相乗効果により格別快適な目覚めが実現できるものである。
【００２２】
（実施の形態２）
図２は、本発明の第２の実施の形態における空気調和システムの構成図である。
【００２３】
照明装置２は、白色光のＬＥＤ照明５を複数個配置し、２０００ルクス以上の照度で照射するもので、空気調和装置１の前面に配設している。ＬＥＤのほかに有機発光体でもよい。
【００２４】
これらの照明の効果は、近年の現代人の生活時間帯が夜型化し、昼活動−夜睡眠のパターンが崩れ始め、自然光の影響が少ない照明光だけの屋内生活が多くなり、太陽光は不足
がちであるところに昼と夜のサイクルを回復させ、生体リズムにメリハリをつけることが可能となる。そして、空気調和装置の空調と、朝の覚醒効果をつけることで生体リズムがしっかりできると夜もスムーズに眠るにつける効果もある。
【００２５】
（実施の形態３）
図３は、本発明の第３の実施の形態における空気調和システムの構成図である。
【００２６】
制御手段３は、時計機能を有し照明装置２の照射時間のタイマを設定する設定手段６を有している。
【００２７】
図４はそのタイムチャートであり、図５はそのシーケンス図である。
【００２８】
図１で説明したリモコンなどにより、例えば朝の６時、昼の１２時に照明装置２の照射を設定手段６に設定されていたとすると（Ｓ１〜Ｓ２）、制御手段３は６時、１２時に照度２０００ルクスで３０分の制御を行なうとともに、空気調和装置１の空調を制御する（Ｓ３〜Ｓ７）。
【００２９】
これらの一連の制御により使用者への２４時間の生体リズム周期が確立され、目覚め感と居眠り防止の効果が期待できるものである。
【００３０】
（実施の形態４）
図６は、本発明の第３の実施の形態における空気調和システムの構成図である。
【００３１】
空気調和装置１は人体検知手段７を有している。
【００３２】
図７はそのシーケンス図であり、図１で説明したリモコンなどにより、朝の６時、昼の１２時に照明装置２の照射を設定手段６に設定されていたとすると（Ｓ１〜Ｓ２）、かつ人体検知手段７が使用者の検知を行なうと（Ｓ２２）、図４のように、制御手段３は６時、１２時に照度２０００ルクスで３０分の制御を行なうとともに、空気調和装置１の空調を制御する（Ｓ３〜Ｓ７）。
【００３３】
これらの一連の制御により、使用者の必要な時に必要な時間だけ照射するので、照明装置及び空気調和システム全体の不要な消費電力を抑えることが可能となる。
【００３４】
なお、図示しないが、空気調和装置１は天気予報情報を取得して、その日の天気（晴れやくもり、雨）に応じて照明装置の照射量や照射時間を調整しても良い。たとえば、曇りや雨の日は晴れの日よりも多く照射する。天気予報情報はインターネットなどの通信回線を介して取得しても良いし、ＴＶやラジオ放送を受信して取得しても良い。
【００３５】
また、生活者の生活パターンにあわせて、いつもより早起きするときは照射量を多くする、休日よりも平日のほうを照射量を多くするようにしてもよい。
【産業上の利用可能性】
【００３６】
以上のように、本発明は、空気調和装置と、空気調和装置の略前面に配設され人体に覚醒作用を施す照明装置と、空気調和と照明装置を制御する制御手段とからなる空気調和システムであって、空気調和装置の快適な空間に加え、光の覚醒作用を有する照明装置との相乗効果で、朝、目覚め向上感と、昼間の居眠り防止の向上の効果が期待できる。
【図面の簡単な説明】
【００３７】
【図１】本発明の実施の形態１における空気調和システム構成図
【図２】本発明の実施の形態２における空気調和システム構成図
【図３】本発明の実施の形態３における空気調和システム構成図
【図４】本発明の実施の形態３における空気調和システムのタイムチャート
【図５】本発明の実施の形態３における空気調和システムのシーケンス図
【図６】本発明の実施の形態４における空気調和システム構成図
【図７】本発明の実施の形態４における空気調和システムのシーケンス図
【符号の説明】
【００３８】
１  空気調和装置
２  照明装置
３  制御手段
４  空気調和システム
５  ＬＥＤ照明
６  設定手段
７  人体検知手段
【図４】
2008151466.tif 000003
【図５】
2008151466.tif 000004
【図７】
2008151466.tif 000005
【図１】
2008151466.tif 000006
【図２】
2008151466.tif 000007
【図３】
2008151466.tif 000008
【図６】
2008151466.tif 000009